(57)【要約】【課題】書類、書籍及び新聞等の読書、閲覧に使用する多機能栞。【課題解決手段】書類、書籍及び新聞等の読書、閲覧部の紙面に密着当接する透明の強質可撓の平面板に成形し、その平面の透明栞体の一側に刻設したガイド溝に沿って移動可能に嵌合したガイド板を取付け、そのガイド板には拡大レンズ部と、カラー彩色した書類、書籍及び新聞等の開いた紙面の頁の行間を明瞭に識別する行間識別線をガイド板に設けて栞体本体の縦又は横方向に前記ガイド板をスライド移動自在、もしくは栞体を上記した拡大レンズ部と書類、書籍等紙面の行間識別線を設けてスライド及び定着自在の透明単体に構成してなる、書類、書籍及び新聞等の読書、閲覧に使用する多機能栞。【選択図】　図１
2004106276.tif 000002
【特許請求の範囲】
【請求項１】
書類、書籍及び新聞等の読書、閲覧部の紙面に密着当接する透明の強質可撓の平面板に成形し、その平面の透明栞体の一側に刻設したガイド溝に沿って移動可能に嵌合したガイド板を取付け、そのガイド板には拡大レンズ部と、カラー彩色した書類、書籍及び新聞等の開いた紙面の頁の行間を明瞭に識別する行間識別線をガイド板に設けて栞体本体の縦もしくは横方向に前記ガイド板をスライド移動自在としたことを特徴とする書類、書籍及び新聞等の読書、閲覧に使用する多機能栞。
【請求項２】
請求項１記載の栞内に人物もしくは動物、植物等、アニメ、漫画、キャラクター等のデザインで形象した栞体に構成したことを特徴とする書類、書籍及び新聞等の読書、閲覧に使用する多機能栞。
【請求項３】
請求項１、請求項２記載の栞内にキャッチフレーズ等の文字、数字、寸法線を表示したことを特徴とする書類、書籍及び新聞等の読書、閲覧に使用する多機能栞。
【請求項４】
栞体を上記した拡大レンズ部と書類、書籍等紙面の行間識別線を設けてスライド及び定着自在の透明単体に構成してなることを特徴とする書類、書籍及び新聞等の読書、閲覧に使用する多機能栞。
【発明の詳細な説明】
【０００１】
【発明が属する技術分野】
書類、書籍及び新聞等の読書、閲覧に使用する栞に関する。
【０００２】
【従来の技術】
書類、書籍及び新聞等の読書、閲覧に際し、従来は読書、閲覧の重要部分とか一時中止する場合は当該頁を折り返しとか、適当な印をつけるとか、又は読み残し部分に栞を差し挟んで次回の読書、閲覧に備える手段として利用されている。
しかし、本や書類の中止する頁、個所の折り返しとか、印をつけることは本、書類の汚損の原因となり、又一方において読者閲覧層の高年齢化による視力の減衰、低下は読書の際の当該頁の行間の錯誤による読み違えとか記憶違えもあり、一般に経験するところである。
そして、これらは書類、書籍、新聞等の読者、閲覧者にとっての問題点となっている。
【０００３】
【発明が解決しようとする課題】
そこで、出願人としては、一般に読書、書籍、新聞等の閲覧に使用されている栞に上記問題点を解決する手段として利用することを提起することとした。
栞を上記の従来の目的のみに使用することは児童、学生等の青少年のみならず、読書、閲覧層の高齢化に伴う視力（遠視、近視）の低下による読書の際の行間の読み違え錯誤や、文章の文字の視認力の低下で読書欲の減衰低下、興趣の阻害にいささかの効用も果たしていない。従来はこれらの補助手段として眼鏡やコンタクトレンズ、又は老眼鏡の使用による視認力の補助手段がなされているが、日常生活に適した焦点距離と、読書閲覧に適した焦点距離に差があるため、使用者の煩わしさがあり、現状の解決する手段としては充分でない。
本願発明は、読書等に一般に書籍、書類の添付片にすぎない栞に多くの機能を備えた栞構造を提案し、従来の諸問題を簡易有効な多機能栞による問題の解決を図ることを課題とするものである。
【０００４】
【課題を解決するための手段】
上記の課題を解決する手段としては、書類、書籍及び新聞等の読書、閲覧部分の紙面に密着当接する透明の強質可撓材で成形し、その平面の透明栞体の一側に刻設したガイド溝に沿って移動可能に嵌合したガイド板を取付け、そのガイド板には拡大レンズ部とカラー彩色した書類、書籍及び新聞等の開いた紙面の頁の行間を明瞭に識別する行間識別線をガイド板に設けて栞体本体の縦もしくは横方向に前記ガイド板をガイド溝にスライド自在に移動するように設けた多機能栞体とすることを主目的とする請求項１とし、栞体本体にはガイド板の機能を損じない範囲内において、請求項２、請求項３、請求項４に記載した構成を備えた多機能栞を手段とするものである。
【０００５】
【発明の実施の形態】
【実施例】
以下本発明の実施例について図示説明する。
図面において、図１〜図４は本発明の代表的な実施例の態様を説明するもので、図１において１０は透明のアクリル等の強質可撓の合成樹脂材で成形した栞体本体の平面板とし、図２に示すように書面等を差し込んで定着するようにＣ型、又は図４の単体の１枚板に構成してもよい。栞体本体は書籍、書類、新聞等の開いた頁の紙面に密着当接し、栞体のサイズは書類、書籍のＢ５、Ａ４版等のサイズ寸法に適合する寸法に成形し、文庫本等は小サイズのものに成形する。なお、文書、書籍の印刷の横書、縦書に合うように形成する。図１の実施例に示した図面は紙面の印刷文字が縦書である場合の栞体に適合する栞構成である。
１１は栞体の上下に刻設したガイド長溝である。このガイド長溝にスライドガイド板１２を取着し長溝方向にスライド自在に嵌合する。１３はスライドガイド板の長さ方向に設けた拡大レンズ、１４は開いた紙面の頁の行間を明瞭に識別するように、カラー例えば赤線等で刻設もしくは線引した行間識別線で、印刷した文章の飛ばし読みや目の錯覚で行を間違ったりすることを防止し、ガイド板をスライド移動して読書や、文章の際の行数に従った読みが正確に行えるよう補助する。
【０００６】
スライドガイド板１２を栞本体１０に嵌合する構成は図３〜図５の取付部一部断面図に示すように、スライドガイド板のガイド長溝はガイド板を栞本体の一側を書類、書籍等を開いた頁部分に取付するが、本体を図２のＣ型に形成した場合は図３に示すガイド板１２を断面Ｌ型に形成して係合スライドする。
しかし、栞本体が一枚の平面板に形成した場合は図５のように栞本体の肉厚部内にＬ型の嵌合溝１５を設け、このＬ型嵌合溝にガイド板１２の断面Ｌ型の係着部を係合し栞本体からの脱落を避ける係合部とすることが望ましい。
【０００７】
スライドガイド板の取付部は、図５に示す栞本体の端部を鋭角に削成し、この鋭角部に係合してスライドする係合部１６としたスライドガイド板を外嵌係合する構成としてもよい。
【０００８】
上述した、これら栞体とスライドガイド板とに設ける二組の取付部の形態は、それぞれの権利範囲となる請求項に応じて、使用上、組立上等の観点より適宜選択組合せし実施する。
【０００９】
請求項４に記載した栞体１７は上述した栞本体とスライドガイド板を組合せた構成と異なる別構成による実施例を示し、図８、図９、図１０において例えば文庫本のような小型サイズ版の栞体１７は、上述の栞本体を省略し文庫本を開いた頁面に拡大レンズ部１８と行間識別線１９を設けた栞で、かつ短寸簡易な栞体を直接当接して読書、閲覧する栞として構成し、平面体、又は図９に示すクリップ状の栞として使用する。２０は栞のクリップを示す。
【００１０】
上述した栞には栞内に人物、動植物、あるいはアニメ、漫画、キャラクターを表示したり、栞体そのものを前記の形象に成形した形象栞にデザイン構成する、又、栞内に適宜の文字、数字、寸法線を表示して書籍、書類等の閲覧に役立つ実用機能を持った栞体に形成し使用者による関心とファンシー性を与える構成とする。（具体的な図示省略）
【００１１】
【発明の効果】
本発明は上述したように、栞を従来の単なる添付片としてでなく栞を使用する学生、児童や高年齢層に対しても書籍、書類等の閲覧に際し必要な実用効果や、装飾作用を与える多機能栞とすることにより栞として有効に活用する効果は大いに期待できる。
【図面の簡単な説明】
【図１】栞体本体とスライドガイド板を組み合わせた実施例を示す平面図
【図２】図１の栞本体の横断面図
【図３】図１のＡ−Ａ線断面図
【図４】栞本体を一枚の平面板とした断面図
【図５】栞本体にスライドガイド板の取付部断面図
【図６】外嵌係合による取付部斜視図
【図７】外嵌係合による取付部断面図
【図８】スライドガイド板を栞とする全体図
【図９】図８の側面図
【図１０】図８のＢ−Ｂ線断面図
【符号の説明】
１０　栞本体
１１　スライドガイド溝
１２　スライドガイド板
１３　拡大レンズ部
１４　行間識別線
１５　嵌合溝
１６　係合部
１７　栞体
１８　拡大レンズ部
１９　行間識別線
２０　クリップ片
【図１】
2004106276.tif 000003
【図２】
2004106276.tif 000004
【図３】
2004106276.tif 000005
【図４】
2004106276.tif 000006
【図５】
2004106276.tif 000007
【図６】
2004106276.tif 000008
【図７】
2004106276.tif 000009
【図８】
2004106276.tif 000010
【図９】
2004106276.tif 000011
【図１０】
2004106276.tif 000012